(57)【特許請求の範囲】
【請求項１】
少なくとも、カメラ付きドアホン子器、テレビインターホン親機、テレビインターホン副親機を組み合わせて構成したテレビインターホンシステムにおいて、上記テレビインターホン親機は、各種画像を予め格納した画像メモリを備えており、上記カメラ付きドアホン子器から所定の呼出信号を受信したときには、上記画像メモリから所定画像を引き出し、引き出した所定画像を表示するとともに、上記テレビインターホン副親機に送信して表示させる構成のテレビインターホンシステム。
【請求項２】
請求項１において、
上記テレビインターホン親機は、呼出釦を接続しており、この呼出釦から所定の呼出信号を受信したときには、上記画像メモリから所定画像を引き出し、引き出した所定画像を表示するとともに、上記テレビインターホン副親機に送信して表示させる構成のテレビインターホンシステム。
【請求項３】
請求項１において、
上記テレビインターホン親機は、人体検知センサを接続しており、この人体検知センサから所定の検知信号を受信したときには、上記画像メモリから所定画像を引き出し、引き出した所定画像を表示するとともに、上記テレビインターホン副親機に送信して表示させる構成のテレビインターホンシステム。
【請求項４】
請求項１において、
上記テレビインターホン親機は、ワイヤレス受信機を接続しており、
このワイヤレス受信機は、ワイヤレス発信器から所定の呼出信号を受信したときには所定の制御信号を上記テレビインターホン親機に送出し、
これを受けた上記テレビインターホン親機は、上記画像メモリから所定画像を引き出し、引き出した所定画像を表示するとともに、上記テレビインターホン副親機に送信して表示させる構成のテレビインターホンシステム。
【請求項５】
請求項１において、
上記テレビインターホン親機は、上記テレビインターホン副親機から所定の制御信号を受信したときには、上記画像メモリから所定画像を引き出し、引き出した所定画像を表示するとともに、上記テレビインターホン副親機に送信して表示させる構成のテレビインターホンシステム。
【請求項６】
請求項５において、
上記テレビインターホン副親機は、呼出釦を接続しており、この呼出釦から所定の呼出信号を受信したときには、上記制御信号を上記テレビインターホン親機に送信する構成のテレビインターホンシステム。
【請求項７】
請求項５において、
上記テレビインターホン副親機は、人体検知センサを接続しており、この人体検知センサから所定の検知信号を受信したときには、上記制御信号を上記テレビインターホン親機に送信する構成のテレビインターホンシステム。
【請求項８】
請求項１〜請求項７のいずれかにおいて、
上記画像メモリに格納される各種画像は、外部から画像信号を入力することによって、任意記録あるいは任意変更することが可能なテレビインターホンシステム。
【請求項９】
請求項１〜請求項８のいずれかにおいて、
上記テレビインターホン親機は、留守時や通話時における来客録画機能を備えており、この機能の実行中には、上記カメラ付きドアホン子器によって撮影される画像を、上記画像メモリに録画する構成のテレビインターホンシステム。
【発明の詳細な説明】
【０００１】
【発明の属する技術分野】
本発明は、少なくとも、カメラ付きドアホン子器、テレビインターホン親機、テレビインターホン副親機を組み合わせて構成したテレビインターホンシステムの改良に関する。
【０００２】
【従来の技術】
近時、２世帯住宅などにおいて広く使用されているテレビインターホンシステムにおいては、カメラ付きドアホン子器が操作されたり、テレビインターホン親機やテレビインターホン副親機に接続した呼出釦が操作されたり、玄関先などの人体検知センサが人を検知したときなどには、テレビインターホン親機、テレビインターホン副親機は、それぞれに内蔵されたキャラクタジェネレータ（以下ＣＧという）によって、所定画像を作成して表示している。
【０００３】
図５は、このシステムで用いられるテレビインターホン親機の要部構成を示しており、テレビインターホン親機１００は、以下の各部を制御するＣＰＵ１１０と、後述するＣＧによって画像を作成するためのＲＯＭ１２０と、ＣＰＵ１１０から指示された画像を作成し、映像信号に重畳させるＣＧ１３０と、入力された映像信号を表示させるための映像表示装置１４０と、入力された映像信号を復調し、映像表示装置１４０に出力する映像復調回路１５０と、カメラ付きドアホン子器に電源を供給し、電源、映像信号、音声信号を多重化して伝送する子器給電・多重化回路１６０と、カメラ付きドアホン子器の状態を監視し、例えば、カメラ付きドアホン子器からの呼出検出をするカメラ制御Ｉ／Ｆ１７０と、マイクＭＩとスピーカＳＰとを有し、カメラ付きドアホン子器やテレビインターホン副親機との間で通話をするための通話回路１８０と、このテレビインターホン親機１００が動作するのに必要な電源を供給する電源回路１９０と、各種操作釦で構成される操作部２００と、人体検知センサや呼出釦などから検知信号などの各種信号を受信し、ＣＰＵ１１０が扱える信号形態に変換する外部入力Ｉ／Ｆ２１０と、テレビインターホン副親機３００との間の相互制御に用いる制御信号を伝送するための制御信号送受信回路４００と、テレビインターホン副親機３００との間で伝送される、制御信号、映像信号、音声信号を多重化あるいは分離する室内伝送多重化回路２３０とを備える。
【０００４】
また、図６は、このシステムで用いられるテレビインターホン副親機の要部構成を示しており、テレビインターホン副親機３００は、以下の各部を制御するＣＰＵ３１０と、後述するＣＧによって画像を作成するためのＲＯＭ３２０と、ＣＰＵ３１０から指示された画像を作成し、映像信号に重畳させるＣＧ３３０と、入力された映像信号を表示させるための映像表示装置３４０と、入力された映像信号を復調し、映像表示装置３４０に出力する映像復調回路３５０と、マイクＭＩとスピーカＳＰとを有し、カメラ付きドアホン子器やテレビインターホン親機１００との間で通話をするための通話回路３６０と、このテレビインターホン副親機３００が動作するのに必要な電源を供給する電源回路３７０と、各種操作釦で構成される操作部３８０と、人体検知センサや呼出釦などから検知信号などの各種信号を受信し、ＣＰＵ３１０が扱える信号形態に変換する外部入力Ｉ／Ｆ３９０と、テレビインターホン親機１００との間の相互制御に用いる制御信号を伝送するための制御信号送受信回路４００と、テレビインターホン親機１００との間で伝送される、制御信号、映像信号、音声信号を多重化あるいは分離する室内伝送多重化回路４１０とを備える。
【０００５】
【発明が解決しようとする課題】
ところで、上記した従来のテレビインターホンシステムでは、テレビインターホン親機、テレビインターホン副親機のそれぞれは、先述したように、ＣＧによって所定画像を作成して表示している。すなわち、図７に示すように、ＲＯＭは、セルＣ単位に分割して画像を保管しており、これをＣＧがＣＰＵからの指示に基づいて、ＲＯＭから必要なセルＣを取り出し、所定の画像を作成しているため、複数の画像や、複雑な画像を作成するには、それだけ多くのセルＣをＲＯＭから取り出して必要な画像を作成するといった作業が必要となるため、ＣＧのメモリの使用量が増加してしまい、作成する画像の数や種類に制限が生じるのが実状であった。
【０００６】
本発明は、上記事情を考慮してなされたものであり、ＣＧを使用せずに、テレビインターホン親機やテレビインターホン副親機に所定画像を表示させ、その画像の数や種類に制限がないテレビインターホンシステムを提供することを目的としている。
【０００７】
【課題を解決するための手段】
上記目的を達成するために、本発明の請求項１に記載のテレビインターホンシステムでは、テレビインターホン親機は、各種画像を予め格納した画像メモリを備えており、カメラ付きドアホン子器から所定の呼出信号を受信したときには、画像メモリから所定画像を引き出し、引き出した所定画像を表示するとともに、テレビインターホン副親機に送信して表示させる。
【０００８】
請求項２に記載のテレビインターホンシステムでは、テレビインターホン親機は、呼出釦を接続しており、この呼出釦から所定の呼出信号を受信したときには、画像メモリから所定画像を引き出し、引き出した所定画像を表示するとともに、テレビインターホン副親機に送信して表示させる。
【０００９】
請求項３に記載のテレビインターホンシステムでは、テレビインターホン親機は、人体検知センサを接続しており、この人体検知センサから所定の検知信号を受信したときには、画像メモリから所定画像を引き出し、引き出した所定画像を表示するとともに、テレビインターホン副親機に送信して表示させる。
【００１０】
請求項４に記載のテレビインターホンシステムでは、テレビインターホン親機は、ワイヤレス受信機を接続しており、このワイヤレス受信機は、ワイヤレス発信器から所定の呼出信号を受信したときには所定の制御信号をテレビインターホン親機に送出し、これを受けたテレビインターホン親機は、画像メモリから所定画像を引き出し、引き出した所定画像を表示するとともに、テレビインターホン副親機に送信して表示させる。
【００１１】
請求項５に記載のテレビインターホンシステムでは、テレビインターホン親機は、テレビインターホン副親機から所定の制御信号を受信したときには、画像メモリから所定画像を引き出し、引き出した所定画像を表示するとともに、テレビインターホン副親機に送信して表示させる。
【００１２】
請求項６に記載のテレビインターホンシステムでは、テレビインターホン副親機は、呼出釦を接続しており、この呼出釦から所定の呼出信号を受信したときには、制御信号をテレビインターホン親機に送信する。
【００１３】
請求項７に記載のテレビインターホンシステムでは、テレビインターホン副親機は、人体検知センサを接続しており、この人体検知センサから所定の検知信号を受信したときには、制御信号をテレビインターホン親機に送信する。
【００１４】
請求項８に記載のテレビインターホンシステムでは、画像メモリに格納される各種画像は、外部から画像信号を入力することによって、任意記録あるいは任意変更することが可能である。
なテレビインターホンシステム。
【００１５】
請求項９に記載のテレビインターホンシステムでは、テレビインターホン親機は、留守時や通話時における来客録画機能を備えており、この機能の実行中には、カメラ付きドアホン子器によって撮影される画像を、画像メモリに録画する。
【００１６】
【発明の実施の形態】
以下に、本発明の実施の形態について、図面とともに説明する。図１は本発明システムの構成の一例を示す図である。このシステムでは、カメラ付きドアホン子器Ｄを接続したテレビインターホン親機１に、副親機３、ワイヤレス受信機６を接続している。また、テレビインターホン親機１には、呼出釦５と人体検知センサＳとを接続しており、テレビインターホン副親機３には、呼出釦５と人体検知センサＳとを接続している。なお、７はワイヤレス発信器であり、これを操作すれば所定の呼出信号がワイヤレス受信器６に対して無線信号の形で送信される。
【００１７】
このような構成をなす本発明システムの特徴的な動作について、以下に説明する。すなわち、ドアホン子器Ｄが操作されたときには、ドアホン子器Ｄからは所定の呼出信号が送出され、これを受けたテレビインターホン親機１は、後述する画像メモリから所定の画像を取り出して表示するとともに、取り出した画像をテレビインターホン副親機３に対して送出する。すると、テレビインターホン副親機３が、テレビインターホン親機１からの画像を受信して表示する。
【００１８】
また、テレビインターホン親機１に接続した呼出釦５が操作されたり、テレビインターホン親機１に接続した人体検知センサＳが人体を検知したときには、テレビインターホン親機１は、所定の呼出信号や検知信号を受信する。このとき、後述する画像メモリから所定の画像を取り出して表示するとともに、取り出した画像をテレビインターホン副親機３に対して送出する。すると、テレビインターホン副親機３が、テレビインターホン親機１からの画像を受信して表示する。
【００１９】
また、ワイヤレス受信機６が、ワイヤレス発信器７から所定の呼出信号を受信したときには、所定の制御信号をテレビインターホン親機１に送出する。すると、テレビインターホン親機１は、後述する画像メモリから所定の画像を取り出して表示するとともに、取り出した画像をテレビインターホン副親機３に対して送出する。すると、テレビインターホン副親機３が、テレビインターホン親機１からの画像を受信して表示する。
【００２０】
また、テレビインターホン副親機３に接続した呼出釦５が操作されたり、テレビインターホン副親機３に接続した人体検知センサＳが人体を検知したときには、テレビインターホン副親機３は、所定の呼出信号や検知信号を受信する。このとき、テレビインターホン副親機３は、所定の制御信号をテレビインターホン親機１に対して送出する。すると、テレビインターホン親機１は、制御信号を受けて、後述する画像メモリから必要な画像を取り出して表示するとともに、取り出した画像をテレビインターホン副親機３に対して送出する。すると、テレビインターホン副親機３が、テレビインターホン親機１からの画像を受信して表示する。
【００２１】
このような動作を可能とするために、テレビインターホン親機１、テレビインターホン副親機２のそれぞれは、以下に示すような内部構成をしている。すなわち、テレビインターホン親機１は、図２に示すように、以下の各部を制御するＣＰＵ１１と、入力された映像信号を表示させるための映像表示装置１４と、入力された映像信号を復調し、映像表示装置１４に出力する映像復調回路１５と、カメラ付きドアホン子器Ｄに電源を供給し、電源、映像信号、音声信号を多重化して伝送する子器給電・多重化回路１６と、カメラ付きドアホン子器Ｄの状態を監視し、例えば、カメラ付きドアホン子器Ｄからの呼出検出をするカメラ制御Ｉ／Ｆ１７と、マイクＭＩとスピーカＳＰとを有し、カメラ付きドアホン子器Ｄやテレビインターホン副親機３との間で通話をするための通話回路１８と、このテレビインターホン親機１が動作するのに必要な電源を供給する電源回路１９と、各種操作釦で構成される操作部２０と、人体検知センサＳや呼出釦５から検知信号などの信号を受信し、ＣＰＵ１１が扱える信号形態に変換する外部入力Ｉ／Ｆ２１と、テレビインターホン副親機３との間の相互制御に用いる制御信号を伝送するための制御信号送受信回路２２と、テレビインターホン副親機３との間で伝送される、制御信号、映像信号、音声信号を多重化あるいは分離する室内伝送多重化回路２３と、各種画像を格納する画像メモリ２４と、画像メモリ２４に画像を格納したり、画像メモリ２４の画像を引き出す画像処理回路２５と、映像信号をテレビインターホン副親機３に送出できる形態に変換して送出する映像信号送出回路２６と、テレビインターホン副親機３に送出する映像信号を、カメラ付きドアホン子器Ｄからの映像信号と、画像メモリからの画像とを選択する映像信号選択回路２７とを備える。
【００２２】
画像メモリ２４には、図３に示すように、各種画像を画面単位で格納するようになっており、多くの画像や複雑な画像を格納させることができる。このような画像は、予めデフォルトとして格納しているが、画像処理回路２５に対して、外部の装置で作成した任意の画像を、画像信号として入力することによっても、画像を画像メモリ２４に格納させることができる。これによって、任意画像を外部装置から入力して、画像メモリ２４に記録したり、書き換えすることができる。
【００２３】
また、このテレビインターホン親機１は、留守時やドアホン子器Ｄとの間の通話時に、ドアホン子器Ｄによる来客の映像を録画する機能を備えており、この機能を実行しているときには、来客の映像は画像メモリ２４に録画される。すなわち、画像メモリ２４には、先述した各種画像と、来客の映像の双方が格納される。
【００２４】
また、テレビインターホン副親機３は、図４に示すように、以下の各部を制御するＣＰＵ３１と、入力された映像信号を表示させるための映像表示装置３４と、入力された映像信号を復調し、映像表示装置３４に出力する映像復調回路３５と、マイクＭＩとスピーカＳＰとを有し、カメラ付きドアホン子器Ｄやテレビインターホン親機１との間で通話をするための通話回路３６と、このテレビインターホン副親機３が動作するのに必要な電源を供給する電源回路３７と、各種操作釦で構成される操作部３８と、人体検知センサや呼出釦などから検知信号などの信号を受信し、ＣＰＵ３１が扱える信号形態に変換する外部入力Ｉ／Ｆ３９と、テレビインターホン親機１との間の相互制御に用いる制御信号を伝送するための制御信号送受信回路４０と、テレビインターホン親機１との間で伝送される、制御信号、映像信号、音声信号を多重化あるいは分離する室内伝送多重化回路４１とを備える。
【００２５】
【発明の効果】
以上の説明からも理解できるように、本発明の請求項１〜請求項４に記載のテレビインターホンシステムでは、テレビインターホン親機は、カメラ付きドアホン子器などの外部機器から呼出信号などを受信したときには、画像メモリから所定画像を引き出し、引き出した所定画像を表示するとともに、テレビインターホン副親機に送信して表示させるので、ＣＧを使用せずに、テレビインターホン親機やテレビインターホン副親機に所定画像を表示させることで、その画像の数や種類に制限をなくし、更に、テレビインターホン副親機には、画像メモリを設ける必要がないため、低コストで本システムを提供できる。
【００２６】
請求項５〜請求項７に記載のテレビインターホンシステムでは、テレビインターホン親機は、テレビインターホン副親機が、呼出釦などの外部機器からの信号入力を受け、そのテレビインターホン副親機から所定の制御信号を受信したときには、画像メモリから所定画像を引き出し、引き出した所定画像を表示するとともに、テレビインターホン副親機に送信して表示させるので、請求項１〜請求項４と同等の効果を発揮することができる。
【００２７】
請求項８に記載のテレビインターホンシステムでは、画像メモリに格納される各種画像は、外部から画像信号を入力することによって、任意記録あるいは任意変更することが可能であるので、画像メモリ内の画像のメンテナンス性が向上するとともに、ユーザによる好みの画像への入れ替えが容易となる。
【００２８】
請求項９に記載のテレビインターホンシステムでは、テレビインターホン親機は、留守時や通話時における来客録画機能を備えており、この機能の実行中には、カメラ付きドアホン子器によって撮影される画像を、画像メモリに録画するので、画像メモリを、来客録画機能と兼用することができ、画像メモリの利用効率を拡張することができる。
【図面の簡単な説明】
【図１】本発明システムの構成の一例を示す図である。
【図２】テレビインターホン親機の内部構成の一例を示す図である。
【図３】画像メモリの画像格納態様について説明するための図である。
【図４】テレビインターホン副親機の内部構成の一例を示す図である。
【図５】従来のテレビインターホン親機の内部構成を示す図である。
【図６】従来のテレビインターホン副親機の内部構成を示す図である。
【図７】従来のテレビインターホンシステムの問題点について説明するための図である。
【符号の説明】
１・・・テレビインターホン親機
３・・・テレビインターホン副親機
５・・・呼出釦
６・・・ワイヤレス受信器
７・・・ワイヤレス発信器
２４・・・画像メモリ
Ｄ・・・カメラ付きドアホン子器
Ｓ・・・人体検知センサ
【図１】
0003591434.tif 000002
【図２】
0003591434.tif 000003
【図３】
0003591434.tif 000004
【図４】
0003591434.tif 000005
【図５】
0003591434.tif 000006
【図６】
0003591434.tif 000007
【図７】
0003591434.tif 000008